(57)【要約】【課題】開封の痕跡が残るいたずら防止用の封緘を低コストかつ容易に行うことができ、開封に伴い異質のごみが発生しない箱を提供する。【解決手段】起伏に伴い開閉する蓋板７を有し、蓋板７の先端に連設した蓋差片１２を、前壁１の内側に沿って差し込み、前壁１に設けたヒンジ片１４の先端側から延びる係止片１５を、蓋差片１２の基部に設けた係止穴１６に差し込んで封緘する箱において、係止片１５を係止穴１６に差し込むと、係止片１５が係止穴１６から抜け止めされて封緘されるようにし、ヒンジ片１４に切目線１４ａを入れ、切目線１４ａを切断すると、ヒンジ片１４が分断され、蓋板７のロック状態が解除されて、開封されるようにする。【選択図】図５
2008174273.tif 000002
【特許請求の範囲】
【請求項１】
起伏に伴い開閉する蓋板(7)を有し、蓋板(7)の先端に連設した蓋差片(12)を、前壁(1)の内側に沿って差し込み、前壁(1)に設けたヒンジ片(14)の先端側から延びる係止片(15)を、蓋差片(12)の基部に設けた係止穴(16)に差し込んで封緘する箱において、
前記係止片(15)を係止穴(16)に差し込むと、係止片(15)が係止穴(16)から抜け止めされて封緘されるようにし、ヒンジ片(14)に切目線(14a)を入れ、又は蓋板(7)の先端部に切目線(7a)を入れ、切目線(14a)又は(7a)を切断すると、ヒンジ片(14)が分断され、又は係止穴(16)が拡大することにより、蓋板(7)のロック状態が解除されて、開封されるようにしたことを特徴とする保安封緘箱。
【発明の詳細な説明】
【技術分野】
【０００１】
この発明は、開封の痕跡を残すことにより、包装した商品へのいたずらを防止する保安封緘箱に関するものである。
【背景技術】
【０００２】
従来、下記特許文献１には、図９に示すように、前壁５１、一対の側壁５２及び後壁５３を備え、後壁５３の上端に蓋板５４及び蓋差片５５を順次連設し、また、側壁５２の上端に受止片５６を連設し、前壁５１の上部を切り込んで形成したヒンジ片５７の先端に係止片５８を設け、蓋差片５５の基部に係止穴５９を穿設した箱が記載されている。
【０００３】
この箱は、商品を収納した後、受止片５６を内側へ折り曲げ、蓋板５４を閉じて、蓋差片５５を前壁５１の内側に差し込み、ヒンジ片５７を揺動させつつ、係止片５８を係止穴５９に差し込んで封緘する。
【０００４】
このような箱では、包装した商品に物流過程でいたずらされないように、封緘に際し、前壁５１の上部から蓋板５４の先端部にかけて樹脂フィルム製のテープを貼り付け、このテープを剥がしたり、切断したりしない限り開封できないようにする場合が多い。
【０００５】
【特許文献１】特開２００３−３２７２４２号公報
【発明の開示】
【発明が解決しようとする課題】
【０００６】
しかしながら、上記のようにテープを使用して封緘すると、包装に手間とコストがかかるほか、開封に伴い、箱とは異なる材質のテープがごみとして発生し、廃棄処理が煩わしくなるという問題がある。
【０００７】
そこで、この発明は、開封の痕跡が残るいたずら防止用の封緘を低コストかつ容易に行うことができ、開封に伴い異質のごみが発生しない箱を提供しようとするものである。
【課題を解決するための手段】
【０００８】
上記のような課題を解決するため、この発明は、起伏に伴い開閉する蓋板を有し、蓋板の先端に連設した蓋差片を、前壁の内側に沿って差し込み、前壁に設けたヒンジ片の先端側から延びる係止片を、蓋差片の基部に設けた係止穴に差し込んで封緘する箱において、前記係止片を係止穴に差し込むと、係止片が係止穴から抜け止めされて封緘されるようにし、ヒンジ片又は蓋板の先端部に切目線を入れ、切目線を切断すると、ヒンジ片が分断され、又は係止穴が拡大することにより、蓋板のロック状態が解除されて、開封されるようにしたのである。
【発明の効果】
【０００９】
この発明に係る箱では、商品を収納して一旦封緘すると、切目線を切断してヒンジ片を分断するか、又は係止穴を拡大しない限り開封することができず、物流過程で不正に開封して商品にいたずらしようとしても、開封の痕跡が残ることとなり、不正の発見が容易になるので、いたずらを未然に防止することができる。
【００１０】
また、封緘に際して、テープの貼り付けが不要となり、いたずら防止用の封緘に要するコストや手間を削減することができるほか、開封後に、箱の材料とは異質のテープがごみとして発生することもない。
【発明を実施するための最良の形態】
【００１１】
まず、この発明の第１実施形態を図１乃至図５に基づいて説明する。
【００１２】
この保安封緘箱は、図１に示すような段ボール製ブランクから形成される。このブランクでは、前壁１の両側に側壁２が連設され、一方の側壁２に後壁３及び継代片４が順次連設されている。前壁１及び後壁３の下端には底板５が、各側壁２の下端には底板６がそれぞれ連設され、後壁３の上端には蓋板７が、前壁１の上端には前頂板８を介して前内板９が、各側壁２の上端には長短の受止片１０，１１がそれぞれ連設されている。
【００１３】
蓋板７の先端には、蓋差片１２が連設され、蓋差片１２は、先端側から基端側へかけてテーパ状に幅が広くなり、蓋差片１２の基部両側には段部１２ａが形成され、蓋差片１２の先端中央部には、弧状の指掛用切欠部１２ｂが形成されている。前頂板８には、スリット状の差込穴１３が穿設され、その両端は斜めに切断されている。
【００１４】
前壁１の上部には、切目を入れてヒンジ片１４が形成され、その先端側には、前内板９への切込により係止片１５が連設されている。係止片１５は、先端側から基端側へかけてテーパ状に幅が広くなり、係止片１５の基部両側には段部１５ａが形成されている。
【００１５】
ヒンジ片１４には、基端両側から先端中央側へかけて間隔が狭くなるハ字状をなすようにジッパ型の切目線１４ａが入れられ、ヒンジ片１４の先端側中間部には、係止片１５への切込により指掛片１４ｂが突設されている。
【００１６】
蓋差片１２の基部には、蓋板７との境界に沿ってスリット状の係止穴１６が穿設され、係止穴１６の蓋板７に隣接する端縁には凹所１６ａが、他方の端縁には突片１６ｂがそれぞれ形成されている。
【００１７】
このようなブランクを組み立てて商品を包装するには、図２に示すように、前壁１、一対の側壁２及び後壁３を折り曲げて、継代片４を反対側の側壁２に貼り付けることにより周壁を形成し、底板５，６を一組ずつ貼り合わせ、対向する底板５同士を噛み合わせて底面を閉止し、前頂板８を内側水平方向へ折り曲げ、前内板９を下方へ折り曲げる。
【００１８】
そして、箱内に商品を収納し、受止片１０，１１を内側へ折り曲げ、蓋板７を閉じて、蓋差片１２を差込穴１３に差し込み、ヒンジ片１４を揺動させつつ、図３及び図４に示すように、係止片１５を係止穴１６に差し込んで封緘する。
【００１９】
これにより、蓋差片１２は差込穴１３に圧入されて、段部１２ａが差込穴１３の端縁に係合し、また、係止片１５は係止穴１６に圧入されて、段部１５ａが係止穴１６の端縁に係合すると共に、起立した指掛片１４ｂの抜出穴に突片１６ｂが嵌合して、係止片１５を係止穴１６から引き抜くことができなくなり、蓋板７がロックされる。
【００２０】
また、長い受止片１０の先端側前部が切り欠かれていることから、係止片１５が係止穴１６への差し込みに伴い受止片１０に衝突することがなく、係止片１５を係止穴１６に完全に差し込むと、指掛片１４ｂが凹所１６ａに係合して、保形性が高められる。
【００２１】
一方、このように封緘した箱を開封する際には、蓋板７から若干上方へ突出した指掛片１４ｂに指を掛けて、指掛片１４ｂを手前に引くと、図５に示すように、切目線１４ａが切断されて、ヒンジ片１４が分断される。このため、係止片１５が係止穴１６に差し込まれた状態のまま、蓋差片１２を切欠部１２ｂに指を掛けて引き上げることにより、差込穴１３から引き抜いて、蓋板７を開くことができる。
【００２２】
上記のような箱では、商品を収納して一旦封緘すると、切目線１４ａを切断してヒンジ片１４を分断しない限り開封することができず、物流過程で不正に開封して商品にいたずらしようとしても、開封の痕跡が残ることとなり、不正の発見が容易になるので、いたずらを未然に防止することができる。
【００２３】
また、封緘に際して、テープの貼り付けが不要となり、いたずら防止用の封緘に要するコストや手間を削減することができるほか、開封後に、箱の材料とは異質のテープがごみとして発生することもない。
【００２４】
次に、この発明の第２実施形態を図６乃至図８に基づいて説明する。なお、ここでは、上記第１実施形態と異なる部分についてのみ言及する。
【００２５】
この箱では、第１実施形態におけるヒンジ片１４の切目線１４ａに代えて、図６に示すように、蓋板７の先端部に、係止穴１６の両端から２本のジッパ型切目線７ａが平行に入れられて、その間に開封片７ｂが形成され、図７に示すように、封緘した状態において、開封片７ｂの下方に係止片１５が位置するようになっている。
【００２６】
そして、この箱を開封する際には、開封片７ｂを先端に指を掛けて引き上げ、図８に示すように、切目線７ａを切断して、開封片７ｂを上方へ揺動させると、係止穴１６が蓋板７側へ拡大されるので、その開口部から係止片１５を脱出させて、蓋板７のロック状態を解除し、蓋板７を開くことができる。
【００２７】
このような箱においても、商品を収納して一旦封緘すると、切目線７ａを切断して係止穴１６を拡大しない限り開封することができず、物流過程で不正に開封して商品にいたずらしようとしても、開封の痕跡が残ることとなり、不正の発見が容易になるので、いたずらを未然に防止することができる。
【００２８】
また、封緘に際して、テープの貼り付けが不要となり、いたずら防止用の封緘に要するコストや手間を削減することができるほか、開封後に、箱の材料とは異質のテープがごみとして発生することもない。
【図面の簡単な説明】
【００２９】
【図１】この発明の第１実施形態に係る保安封緘箱のブランクを示す図
【図２】同上の閉蓋過程を示す斜視図
【図３】同上の封緘状態を示す斜視図
【図４】同上の封緘部分の拡大斜視図
【図５】同上の開封状態を示す斜視図
【図６】この発明の第２実施形態に係る保安封緘箱のブランクを示す図
【図７】同上の封緘状態を示す斜視図
【図８】同上の開封状態を示す斜視図
【図９】従来の箱の開封状態を示す斜視図
【符号の説明】
【００３０】
１  前壁
２  側壁
３  後壁
４  継代片
５，６  底板
７  蓋板
７ａ  切目線
７ｂ  開封片
８  前頂板
９  前内板
１０，１１  受止片
１２  蓋差片
１２ｂ  切欠部
１３  差込穴
１４  ヒンジ片
１４ａ  切目線
１４ｂ  指掛片
１５  係止片
１５ａ  段部
１６  係止穴
１６ａ  凹所
１６ｂ  突片
【図１】
2008174273.tif 000003
【図２】
2008174273.tif 000004
【図３】
2008174273.tif 000005
【図４】
2008174273.tif 000006
【図５】
2008174273.tif 000007
【図６】
2008174273.tif 000008
【図７】
2008174273.tif 000009
【図８】
2008174273.tif 000010
【図９】
2008174273.tif 000011